(57)【特許請求の範囲】
【請求項１】
露光開口を挟んだ一方側にパトローネを収納するパトローネ収納室を、他方側にパトローネから引き出したフイルムを収納するフイルム室をそれぞれ設けた本体基部と、
パトローネ室の上に回転自在に向けられ、フイルム巻き上げ時にフイルム巻き上げ方向に回転してフイルム室からパトローネ収納室に向けて写真フイルムを巻き上げる巻上げノブと、
前記露光開口の前面に取り付けられ、少なくとも撮影レンズやフイルム巻き止め機構を組み込んだ露光ユニットと、
前記フイルム巻き止め機構の一部を構成しており、写真フイルムを１コマ分の長さだけ巻き上げたときに、前記露光ユニットとパトローネ収納室との間の空間を横切る巻止め爪が前記巻上げノブの外周から退避する巻き止め解除位置から前記外周に係合する巻き止め位置に回転して、前記巻き上げノブのフイルム巻き上げ方向の回転を止めるフイルム巻き止めを行う係止レバーと、を備えるレンズ付きフイルムユニットにおいて、
前記パトローネ収納室と露光ユニット又はその露光ユニットが取り付けられる本体基部の支持部との間を連結する間隔規制部材を設け、フイルム巻止めが行われた後に更に前記巻上げノブをフイルム巻き上げ方向に回転することで前記係止レバーに加えられる力によって前記パトローネ収納室と露光ユニットとの間の空間が広がらないように前記間隔規制部材で規制したことを特徴とするレンズ付きフイルムユニット。
【請求項２】
前記パトローネ収納室と前記露光ユニット又は前記支持部とのうちの何れか一方に、前記空間に向けて突出して設けた係止爪と、他方に設けられ、前記係止爪に係合する被係止部とで前記間隔規制部材を構成したことを特徴とする請求項１記載のレンズ付きフイルムユニット。
【発明の詳細な説明】
【０００１】
【発明の属する技術分野】
本発明は、レンズ付きフイルムユニットに関し、さらに詳しくは、フイルム巻き止め機構に関するものである。
【０００２】
【従来の技術】
レンズ付きフイルムユニットには、露光開口を挟んだ両側にそれぞれ隙間を空けてパトローネを収納するパトローネ収納室と未露光の写真フイルムを収納するフイルム収納室とを前方に向けて突出して形成した本体基部が弾性を有するプラスチック材料で一体的に形成されている。この本体基部の露光開口の前面には、被写体光を撮影レンズから露光開口に導くための暗箱が配置される。フイルム巻き止め機構は、暗箱の上方に設けられており、パトローネ収納室の上方に回転自在に配置した巻上げノブの回転操作によって写真フイルムを１コマ分の長さだけ巻き上げた際に、係止レバーの巻止め爪が巻き止め位置に回転して巻上げノブの外周に設けた歯列に係合し、巻上げノブのフイルム巻き上げ方向の回転を阻止するとともに、写真フイルムのパーフォレーションに係合しているスプロケットの回転もロックする。
【０００３】
【発明が解決しようとする課題】
ところで、巻上げノブのフイルム巻き上げ方向への回転軌跡には、巻上げノブ及び係止レバーとの回転中心を結んだ線に対して半分が巻止め爪から離れる回転軌跡域であり、他方の半分が巻止め爪に向かってくる回転軌跡域となる。当然、巻止め爪を、向かってくる回転軌跡域内に入り込ますことで巻上げノブのフイルム巻き上げ方向への回転を阻止することができるが、この阻止は、巻上げノブと係止レバーとの回転中心の間隔を広げるように作用する。しかも、暗箱とパトローネ収納室との間には隙間があり、さらに本体基部が弾性を有するプラスチック材料で形成されているから、間隔が広がりやすい。これにより、フイルム巻き止めが行われた際に、これ以上の回転操作を無理やり行うと、前述した間隔の広がりにより巻上げノブがスリップして回転操作が許容され、引続きフイルム巻き上げが行われてしまう恐れがある。このような不具合が生じると、スプロケットがロックされた状態で写真フイルムが巻き上げられてしまうから、スプロケットによってパーフォレーションが破損又は損傷する。あるいは、写真フイルムが強じんな場合、スプロケットが破損又は損傷する。
【０００４】
本発明は、フイルム巻き止め機構の信頼性を向上させ、パーフォレーションやスプロケットの破損並びに損傷を防止したレンズ付きフイルムユニットを提供することを目的とする。
【０００５】
【課題を解決するための手段】
上記目的を達成するために、本発明は、パトローネ収納室と露光ユニット又はその露光ユニットが取り付けられる本体基部の支持部との間を連結する間隔規制部材を設け、フイルム巻止めが行われた後に更に巻上げノブをフイルム巻き上げ方向に回転することで係止レバーに加えられる力によってパトローネ収納室と露光ユニットとの間の空間が広がらないように前記間隔規制部材で規制したものである。間隔規制部材としては、パトローネ収納室と前記露光ユニット又は前記支持部とのうちの何れか一方に、前記空間に向けて突出して設けた係止爪と、他方に設けられ、前記係止爪に係合する被係止部とで構成するのが望ましい。これら係止爪と被係止部との係合をパトローネ収納室と露光付与機構との間の空間が広がらない方向で行うことで、フイルム巻止めが行われた後に巻上げノブに加えられる巻上げ力によってパトローネ収納室と露光付与機構との間の空間が広がらないように規制することができる。
【０００６】
【発明の実施の形態】
レンズ付きフイルムユニット１０は、図１及び図２に示すように、本体基部１１、後カバー１２、露光ユニット１３、パトローネ付き写真フイルム１４、及び前カバー１５とから構成されている。本体基部１１の前面には、露光ユニット１３が着脱自在に取り付けられる。後カバー１２は、本体基部１１の背後に着脱自在に取り付けられ、本体基部１１との間でパトローネ付き写真フイルム１４を光密に収納する。
【０００７】
前カバー１５は、本体基部１１の前面に着脱自在に取り付けられ、本体基部１１との間で露光ユニット１３を前及び上下方向から覆う。この前カバー１５の上面には、一部を切り欠いて弾性自在に形成したシャッタボタン１６が設けられている。
【０００８】
本体基部１１には、露光開口１７を挟んだ両側に各々隙間を空けてパトローネ収納室１８とフイルムロール室１９とが一体に形成されている。パトローネ収納室１８は、パトローネ２０を収納するため部屋であり、またフイルムロール室１９は、パトローネ２０から引き出した未露光の写真フイルム２１をフイルムロールの形態で収納するための部屋である。
【０００９】
パトローネ収納室１８とフイルムロール室１９との底は開口となっており、パトローネ付き写真フイルム１４を装填した後に、後カバー１２に設けたプルトップ式の底蓋２２，２３によってそれぞれ光密に塞がれる。底蓋２２は、撮影済みの写真フイルム２１を収納したパトローネ２０を取り出す際の蓋である。
【００１０】
パトローネ収納室１８の上には、巻上げノブ２４が回動自在に配置されている。巻上げノブ２４には、パトローネ収納室１８に装填されたパトローネ２０のスプール２５に係合する軸が一体に形成されている。この軸は巻上げノブ２４とともにフイルム巻き上げ機構を構成している。巻上げノブ２４は、一部が後カバー１２の開口２６から露呈されており、この露呈された部分をフイルム巻き上げ方向（図１に示す矢印方向）に回転させることによりスプール２５が従動して回転し、撮影済みの写真フイルム２１をパトローネ２０の内部に巻き上げる。
【００１１】
巻上げノブ２４の外周には歯列２４ａが形成されている。この歯列２４ａには、本体基部１１に設けた逆止爪２７が係合している。逆止爪２７は、巻上げノブ２４がフイルム巻き上げ方向とは逆の方向に回転操作されることを禁止する。
【００１２】
詳しくは図２に示すように、パトローネ収納室１８とフイルムロール室１９との間には、分割された暗箱２８の一部が設けられている。暗箱２８の前面には、露光付与機構をユニット化した露光ユニット１３が着脱自在に取り付けられる。露光ユニット１３は、残りの分割暗箱２９を一体に形成したベースに撮影レンズ３０、フイルム巻き止め機構、シャッタ機構、及びフイルムカウンタ機構等の露光付与機構を組み込んだユニット化部品である。この露光ユニット１３を本体基部１１に取り付けることで分割暗箱２８，２９同士が接合されて完全な暗箱が形成される。
【００１３】
露光ユニット１３の前面には、パトローネ収納室１８に向けて突出した係止爪３１が設けられている。この係止爪３１は、露光ユニット１３を本体基部１１に取り付けた際に、パトローネ収納室１８の外壁に設けられた被係止部３２に係合され、パトローネ収納室１８と露光ユニット１３との間隔が広がらないように作用する。これらの係止爪３１と被係止部３２とが間隔規制部材を構成している。なお、パトローネ収納室１８に係止爪３１を設け、被係止部３２を露光ユニット１３に設けてもよい。また係止爪３１と被係止部３２とからなる間隔規制部材は、１個に限らず、複数設けてもよい。
【００１４】
パトローネ２０は、プラスチック製の二分割部品から構成されており、フイルム送出口３３の内部に開閉自在な蓋部材が設けられている。この蓋部材の両端には、キー溝３４が形成されている。これらのキー溝３４は、スプール２５の軸方向に沿った側面から外部に各々露呈されている。露光ユニット１３とパトローネ収納室１８との隙間には、現像所で行われる後カバー１２の底蓋２２を開く動作に連動して蓋部材を閉じる蓋部材開閉機構３５が内蔵されている。
【００１５】
蓋部材開閉機構３５は、図３に示すように、蓋部材駆動軸３７、バネ３８、及び連動レバー３９等で構成されている。蓋部材駆動軸３７は、蓋部材を開く位置と閉じる位置との間で回動自在に支持されている。この蓋部材駆動軸３７には、キー溝３４に係合する駆動軸４０と、この駆動軸４０に一体に形成されたカム４１とから構成されており、バネ３８により蓋部材を閉じる位置に向けて付勢されている。
【００１６】
底蓋２２を閉じた状態では、これの一部２２ａで連動レバー３９の一端３９ａが押されて連動レバー３９が軸４２を中心に時計方向に回転した状態とされる。このような状態とされると、他端３９ｂがバネ３８の付勢に抗してカム４１を時計方向に向けて押圧し、駆動軸４０が蓋部材を開く位置に回転した状態となる。底蓋２２を開けると、一部２２ａが退避して連動レバー３９の一端３９ａへの押圧が解除される。これにより、バネ３８に付勢されてカム４１が反時計方向に回転し、駆動軸４０が蓋部材を閉じる。
【００１７】
写真フイルム２１は、撮影に利用できないフイルム先端域及びフイルム後端域と撮影に利用されるフイルム露光域とからなる長さとされており、フイルム後端がスプール２５に係止されている。フイルム露光部には、一方の側縁に沿って２個のパーフォレーション５０，５１が２種類の間隔で交互に配列されており、間隔の長いパーフォレーション５０，５１の間の中心が露光開口１７のフイルム給送方向（長手方向）の中心に合うように１コマずつ巻き上げられて露光が行われる。
【００１８】
シャッタ機構、フイルム巻き止め機構、及びフイルムカウンタ機構は、図４及び図５に示すように、スプロケット５２、回転部材５３、シャッタ駆動レバー５４、係止レバー５５、押圧レバー５６、捩じりバネ５７、シャッタ羽根５８、及び枚数表示板５９等とから構成されている。
【００１９】
露光ユニット１３のベース上面６０には、３個の軸６１，６２，６４と軸受開口６３とが各々の間隔隔てて一体に形成されている。軸６３には、シャッタ駆動レバー５４と枚数表示板５９とが挿入される。軸６１には、捩じりバネ５７と係止レバー５５とが挿入される。軸６２には押圧レバー５６が挿入される。
【００２０】
シャッタ駆動レバー５４は、チャージ位置とストッパー６５に当接したレリーズ完了位置との間で回動自在で回動され、捩じりバネ５７によりレリーズ完了位置に向けて付勢されている。係止レバー５５は、巻止め爪５５ａが歯列２４ａに係合する巻き止め位置と巻止め爪５５ａが歯列２４ａから退避する巻き止め解除位置との間で回動され、捩じりバネ５７により巻き止め位置に向けて付勢されている。
【００２１】
軸受開口６４には回転部材５３が挿入される。回転部材５３は、下から順に、一対の被押圧部６６、一対のシャッタチャージカム６７、一対の溝６８、及び一対の一歯ギヤ６９とが回転対称となる位置にそれぞれ形成されている。被押圧部６６の下方には、フイルム面に向けて露呈されるスプロケット５２が連結される。
【００２２】
スプロケット５２には、短い間隔で並んだ一対のパーフォレーション５０，５１に順次に噛合する一対の歯７０，７１が、円周面の回転対称の位置に二対突設されており、写真フイルム２１が１コマ分の長さだけ同図に示す矢印方向に移送されることで半回転する。このスプロケット５２は、フイルム１コマ分の移送後に、一対の歯７０，７１のうち先頭の歯７０がパーフォレーション５０から外れ、後続の歯７１がパーフォレーション５１に噛合した状態で停止する。
【００２３】
シャッタ駆動レバー５４は、レリーズ完了位置の際に、立ち上がり片５４ａが係止レバー５５に設けた立ち下がり片５５ｂに係合して係止レバー５５を巻き止め解除位置で保持する。フイルム移送に従動してスプロケット５２が反時計方向に回転すると回転部材５３も同期回転する。この回転によりシャッタチャージカム６７は、回転軌跡内に入り込んだシャッタ駆動レバー５４の一端５４ｂを捩じりバネ５７の付勢に抗して押してシャッタ駆動レバー５４をチャージ位置に向けて回転させる。
【００２４】
１コマ分の長さだけ写真フイルム２１を移送する間に、シャッタ駆動レバー５４がチャージ位置に到達する。シャッタ駆動レバー５４がチャージ位置に到達すると、立ち上がり片５４ａが立ち下がり片５５ｂの回転軌跡から退避して係止レバー５５の巻き止め解除位置での保持を解除する。これにより、係止レバー５５は捩じりバネ５７の付勢により巻き止め位置に向けて回転する。１コマ分の長さだけ写真フイルム２１が移送されると、係止レバー５５の爪部５５ｃの回転軌跡上に溝６８が回転してきて、爪部５５ｃが入り込む。これにより、係止レバー５５の巻き止め位置となり、スプロケット５２の回転をロックする。このとき、巻止め爪５５ａが巻上げノブ２４の歯列２４ａに係合してフイルム巻き上げ操作を阻止する。
【００２５】
係止レバー５５が巻き止め位置に回転する途中では、立ち下がり片５５ｂがシャッタ駆動レバー５４の立ち上がり片５４ａの回動軌跡内に入り込み、シャッタ駆動レバー５４をチャージ位置で保持する。
【００２６】
シャッタボタン１６の押下操作が行われると、係止レバー５５の立ち下がりロッド５５ｄが押され、係止レバー５５が捩じりバネ５７の付勢に抗して巻き止め解除位置に向けて回転する。これにより、立ち下がり片５５ｂが立ち上がり片５４ａの回動軌跡内から外れ、シャッタ駆動レバー５４が捩じりバネ５７の付勢によってレリーズ完了位置に向けて瞬時に回転する。この回転中に、蹴飛ばしアーム５４ｃがシャッタ羽根５８の一端５８ａを蹴飛ばす。シャッタ羽根５８は、蹴飛ばされることで軸５８ｂを中心にシャッタ開口５８ｃを遮蔽する遮蔽位置からシャッタ開口５８ｃを露呈する全開位置に回転し、その後に引き戻しバネ５８ｄで遮蔽位置に引き戻される。
【００２７】
シャッタ駆動レバー５４がレリーズ完了位置に回転すると、立ち上がり片５４ａが立ち下がり片５５ｂの回動軌跡内に入り込んで、係止レバー５５を巻き止め解除位置で保持する。係止レバー５５が巻き止め解除位置の状態となると、巻止め爪５５ａが歯列２４ａから退避し、また、爪部５５ｃが溝６８から抜け出している。これにより、次回のフイルム巻き上げ操作が許容される。
【００２８】
一歯ギヤ６９には、枚数表示板５９の外周に形成されたギヤ５９ａが噛合している。したがって、スプロケット５２が半回転すると一歯ギヤ６９が枚数表示板５９を一目盛り分だけ時計方向に回転させる。枚数表示板５９の上面には、その回転ピッチに対応して枚数表示用の目盛りが設けられている。この目盛りはその時点で撮影可能なフイルム枚数、すなわち残数表示目盛りとなっているから、この目盛りを前カバー１５に形成した表示窓７３を通して観察することによって残りコマ数を確認することができる。
【００２９】
一対の被押圧部６６は、スプロケット５２の間欠回転を補助する作用を行うものであり、これらは回転対称の位置にそれぞれ設けられ、この回転軌跡内には、押圧レバー５６の先端５６ａが入り込んでいる。この押圧レバー５６には突状部５６ｂが形成されており、突状部５６ｂの回転軌跡内には、シャッタ駆動レバー５４に設けた押圧部５４ｄが入り込んでいる。シャッタ駆動レバー５４がレリーズ完了位置の際には、捩じりバネ５７の付勢を利用して押圧部５４ｄが突状部５６ｂを押圧する。この押圧は、スプロケット５２の従動方向に向けて作用され、したがって、スプロケット５２の歯７０，７１との間の円周面が写真フイルム２１に対峙してスリップし易い状態でも確実にスプロケット５２をフイルム移送と同じに回転させることができる。
【００３０】
次に上記構成の作用を説明する。シャッタレリーズ後の状態は、図５に示すように、スプロケット５２は、歯７１が短い間隔で並んだパーフォレーション５０，５１のうちパーフォレーション５１に噛合した状態で停止している。シャッタ駆動レバー５４は、レリーズ完了位置の状態とされている。押圧レバー５６は、先端５６ａが一対の被押圧部６６の間に入り込んでいる。
【００３１】
フイルム巻き上げは巻上げノブ２４を同図に示す矢印方向に回転させる。この操作により、写真フイルム２１が巻き上げられる。このときのフイルム移送に従動してスプロケット５２が反時計方向に回転する。スプロケット５２は、歯７１がパーフォレーション５１から抜けた状態となると、この間で押圧レバー５６の先端５６ａが被押圧部６６を押圧するので、この押圧力を利用してフイルム移送と同じに従動回転する。
【００３２】
その後、後続の歯７０，７１が次の短い間隔で並んだパーフォレーション５０，５１に噛合する間に、シャッタチャージカム６７が一端５４ｂを押圧し、シャッタ駆動レバー５４を捩じりバネ５７の付勢に抗してチャージ位置に向けて回転させる。
【００３３】
シャッタ駆動レバー５４がチャージ位置に回転すると、立ち上がり片５４ａが立ち下がり片５５ｂの回動軌跡内から退避するため、係止レバー５５が捩じりバネ５７の付勢により巻き止め位置に向けて回転する。そして、１コマ分の長さだけ写真フイルム２１が移送された時点で、スプロケット５２が半回転した状態となるため、図６に示すように、溝６８に爪部５５ｃが入り込んで係止レバー５５が巻き止め位置の状態となる。
【００３４】
係止レバー５５が巻き止め位置となると、スプロケット５２の回転がロックされ、且つ巻止め爪５５ａが歯列２４ａに係合して巻上げノブ２４のフイルム巻き上げ操作を阻止する。このとき、無理な力で巻上げノブ２４をさらにフイルム巻き上げ方向に回転させると、巻上げノブ２４に加えられる巻上げ力が巻上げノブ２４の回転中心２４ｂと軸６１との間隔を広げるように作用する。このため、巻止め爪５５ａが歯列２４ａから逃げて巻上げノブ２４のフイルム巻き上げ方向への回転が許容されてしまう恐れがあるのに対し、本実施例では露光ユニット１３とパトローネ収納室１８との間の空間が広がらないように係止爪３１と被係止部３２とで繋いで規制しているので、無理な力で巻上げノブ２４をさらにフイルム巻き上げ方向に回転させてもこれ以上の回転操作を確実に防止できる。
【００３５】
係止レバー５５が巻き止め位置となると、立ち下がり片５５ｂが立ち上がり片５４ａの回動軌跡内に入り込み、シャッタ駆動レバー５４がチャージ位置で保持される。この状態では、シャッタチャージカム６７が一端５４ｂの回動軌跡内から退避しているため、シャッタ駆動レバー５４のレリーズ完了位置までの回転が許容される。
【００３６】
撮影は、シャッタボタン１６の押下操作により行われる。このシャッタレリーズにより係止レバー５５が巻き止め解除位置に向けて回転される。これにより、立ち下がり片５５ｂが立ち上がり片５４ａの回転軌跡から退避するため、シャッタ駆動レバー５４が捩じりバネ５７の付勢によりレリーズ完了位置に向けて瞬時に回転する。この間の回転で蹴飛ばしアーム５４ｃがシャッタ羽根５８の一端５８ａを蹴飛ばして露光が行われる。シャッタ駆動レバー５４がレリーズ完了位置に回転すると、立ち上がり片５４ａが立ち下がり片５５ｂの回転軌跡内に入り込んで係止レバー５５を巻き止め解除位置に保持して図５に示す初期状態となる。
【００３７】
以下、前述した操作を繰り返すことで、順次にフイルム露光部にコマが形成され、露光済みの写真フイルム２１がパトローネ２０に内部に収納される。最後のコマに撮影を完了した後には、枚数表示板５９がこの旨を表示する位置に回転している。このとき、図４に示したように、枚数表示板５９の下面に形成した一対の突起５９ｂ，５９ｃで係止レバー５５の突起部５５ｅを挟み込んで係止レバー５５を巻き止め解除位置の状態で保持する。これによりフイルム巻き止め機構が作動しないから、全部の写真フイルム２１をパトローネ２０の内部に巻き込むことができる。
【００３８】
撮影済みのレンズ付きフイルムユニット１０は、そのまま現像所に提出され、ここで底蓋２２が開かれる。この底蓋２２の開き動作に連動して蓋部材開閉機構３５が作動してパトローネ２０の蓋部材が閉じられる。その後、パトローネ２０が取り出される。この写真フイルムパトローネ１４は、蓋部材を開いた後に、スプール２５をフイルム送り出し方向に回転させることで、写真フイルム２１がフイルム送出口３３から外部に送り出すことができる。これにより、写真フイルム２１を簡単に現像できる。現像した後には焼付けが行われて、プリント写真が得られる。現像済みの写真フイルムは、元のパトローネ２０に戻されてプリント写真とともにユーザーに返却される。
【００３９】
上記実施例では、間隔規制部材を係止爪と被係止部とで構成しているが、本発明ではこれに限らず、間隔を規制する連結部材であれば何れでもよい。また露光付与機構は必ずしもユニット化する必要はなく、例えば露光付与機構を直接に本体基部１１に取り付ける形態としてもよい。この場合には、露光付与機構が配置される本体基部１１の支持部、例えば暗箱２８等に間隔規制部材を設けるのが望ましい。
【００４０】
また、上記実施例では、２種類の間隔でパーフォレーションが形成された写真フイルムを採用しているが、本発明ではこれに限らず、１３５タイプのパトローネ付き写真フイルムを用いてもよい。この場合には周知の８歯のスプロケットを用いればよい。
【００４１】
【発明の効果】
以上詳細に説明したように、本発明によれば、巻止め爪が設けられた露光ユニット、又はその露光ユニットが取り付けられる本体基部の支持部と、巻上げノブが配置されたパトローネ収納室とを連結する間隔規制部材を設けたから、こられの間の間隔が広がらないように規制され、よって、フイルム巻止めが行われた後に巻上げノブに加えられる巻上げ力によって巻止め爪が巻上げノブの歯列から離れて、無理に写真フイルムを巻き上げてしまうことがなく、したがって、フイルム巻き止めの信頼性が向上し、パーフォレーションやスプロケットの破損並びに損傷を確実に防止することができる。
【図面の簡単な説明】
【図１】本発明のレンズ付きフイルムユニットの分解斜視図である。
【図２】レンズ付きフイルムユニットの断面図である。
【図３】蓋部材開閉機構の概略を示す斜視図である。
【図４】フイルム巻き止め機構等の概略を示す分解斜視図である。
【図５】係止レバーが巻き止め解除位置の状態のフイルム巻き止め機構を示す説明図であり、被押圧部、押圧レバー、及びスプロケット等を上にずらして記載している。
【図６】係止レバーが巻き止め位置の状態のフイルム巻き止め機構を示す説明図であり、被押圧部、押圧レバー、及びスプロケット等を上にずらして記載している。
【符号の説明】
１０  レンズ付きフイルムユニット
２４  巻上げノブ
２４ａ  歯列
２８，２９  暗箱
３１  係止爪
３２  被係止部
５２  スプロケット
５５  係止レバー
５５ａ  巻止め爪
【図１】
0003606662.tif 000002
【図２】
0003606662.tif 000003
【図３】
0003606662.tif 000004
【図４】
0003606662.tif 000005
【図５】
0003606662.tif 000006
【図６】
0003606662.tif 000007